(57)【特許請求の範囲】
【請求項１】
後身頃（１），前身頃（２），及び前記後身頃（１）と前記前身頃（２）の間に位置する股下部（３）から構成され，
前記後身頃（１）には，前記後身頃（１）の左右の各側縁から延出するようにして，二対以上の止着テープ（１０）が取り付けられ，
前記前身頃（２）には，前記止着テープ（１０）を止め付けるためのフロントパッチ（２０）が設けられたテープ型の使い捨ておむつにおいて，
前記フロントパッチ（２０）は，左右の側方部における短手方向の幅が，中央部における短手方向の幅よりも幅広となっており，前記フロントパッチ（２０）の上縁辺（２０１）と下縁辺（２０３）が，前記フロントパッチ（２０）の幅広の側方から前記フロントパッチ（２０）の幅狭の中央に向かって傾斜していることを特徴とする
テープ型使い捨ておむつ。
【請求項２】
前記フロントパッチ（２０）の左右の側方部には，
前記フロントパッチの上縁辺（２０１）側に，前記フロントパッチ（２０）の幅方向外側に向かって突出する左上突出部（２１）と右上突出部（２２）が形成され，
前記フロントパッチの下縁辺（２０３）側に，前記フロントパッチ（２０）の幅方向外側に向かって突出する左下突出部（２３）と右下突出部（２４）が形成されており，
前記フロントパッチの上縁辺（２０１）側の凹頂部（２０２）と，前記フロントパッチの下縁辺（２０３）側の凹頂部（２０４）は，前記フロントパッチ（２０）の中央部に位置する
請求項１に記載のテープ型使い捨ておむつ。
【請求項３】
前記左上突出部の凸頂部（２１１）から前記左下突出部の凸頂部（２３１）までの距離，及び前記右上突出部の凸頂部（２２１）から前記右下突出部の凸頂部（２４１）までの距離は，前記上縁辺側の凹頂部（２０２）から前記下縁辺側の凹頂部（２０４）までの距離に対して，１０５％以上３００％以下である
請求項２に記載のテープ型使い捨ておむつ。
【請求項４】
前記フロントパッチの上縁辺（２０１）が，前記左上突出部の凸頂部（２１１），前記上縁辺側の凹頂部（２０２），及び右上突出部の凸頂部（２２１）を繋ぐ曲線を含み，
前記フロントパッチの下縁辺（２０３）が，前記左下突出部の凸頂部（２３１），前記下縁辺側の凹頂部（２０４），及び右下突出部の凸頂部（２４１）を繋ぐ曲線を含む
請求項２又は請求項３に記載のテープ型使い捨ておむつ。
【発明の詳細な説明】
【技術分野】
【０００１】
本発明は，使い捨ておむつに関する。具体的に説明すると，本発明は，後身頃に設けられた止着テープを前身頃に止め付けることにより，着用者の身体に装着されるテープ型の使い捨ておむつに関するものである。
【背景技術】
【０００２】
従来から，後身頃に延設されたサイドフラップに止着テープが取り付けられ，前身頃にフロントパッチが設けられたテープ型の使い捨ておむつが知られている。止着テープとフロントパッチは，例えばフック材（雄部材）とループ材（雌部材）の面ファスナーにより機械的に結合できるようになっている。このため，後身頃に設けられた止着テープを前身頃に設けられたフロントパッチに止め付けることで，使い捨ておむつを着用者の身体に装着することが可能である。
【０００３】
従来の使い捨ておむつには，おむつ後身頃の両側部から突出するようにして二対以上の止着テープが設けられているものがある（特許文献１）。使い捨ておむつに二対の止着テープを設けることにより，例えば，一方の止着テープをフロントパッチの上方に止め付け，他方の止着テープをフロントパッチの下方に止め付けることが可能となり，止着テープとフロントパッチの接着強度を向上させることができる。また，止着テープが二対設けられていれば，一方の止着テープを着用者の腹部側からフロントパッチに止め付け，他方の止着テープを着用者の脚部側からフロントパッチに止め付けることが可能となるため，使い捨ておむつを着用者の身体に対するフィット性を向上させることもできる。
【０００４】
上記のような止着テープが二付以上設けられた使い捨ておむつでは，各止着テープをフロントパッチの内側に向けてある程度傾斜させてフロントパッチに止め付ける方法，いわゆるクロス止めが推奨されている。クロス止めを行うことにより，着用者の身体のラインに沿って隙間なく止着テープをフロントパッチに止め付けることができる。また，クロス止めを行うことにより，各止着テープをフロントパッチに止め付けるに際し，各止着テープが取付けられたサイドフラップが広がるため，広がったサイドフラップにより，着用者の腰周りと脚部周りをしっかりと覆うことができる。
【先行技術文献】
【特許文献】
【０００５】
【特許文献１】特開２０１０−０５７７１３号公報
【特許文献２】特開２０１１−３０６０４号公報
【発明の概要】
【発明が解決しようとする課題】
【０００６】
しかしながら，従来の使い捨ておむつでは，前身頃に設けられたフロントパッチが四角形状となっていた（特許文献１及び特許文献２参照）。例えば，従来のフロントパッチは，使い捨ておむつの前身頃の左右方向を長手とする長方形状で形成されるものであった。
【０００７】
従来の使い捨ておむつのように，フロントパッチが四角形状であり，その上縁辺と下縁辺が平行になっていると，使い捨ておむつの着用者は，自然と止着テープをフロントパッチの上縁辺と下縁辺に沿って止め付けようとしてしまう。このように，止着テープがフロントパッチの上縁辺と下縁辺に沿って止め付けられた場合，上述したクロス止めとはならず，止着テープは着用者の身体のラインに沿って止め付けられていないこととなる。また，止着テープが取付けられた後身頃のフラップが上手く広がらずに，例えば着用者の腰周りや脚部周りに，隙間が生じやすくなってしまう。
【０００８】
特に，使い捨ておむつを装着することや装着させることに慣れた者であれば，フロントパッチが四角形状となっている場合であっても，止着テープのクロス止めを実行することができるが，使い捨ておむつを装着することや装着させることに不慣れな者にとっては，止着テープをクロス止めするという発想に至らず，止着テープをフロントパッチの上縁辺と下縁辺に沿って平行に止め付けてしまいやすい。従って，使い捨ておむつの使用に不慣れな者にとって，着用者の腰周りや脚部周りに隙間を生じさせないように止着テープを上手く止め付けることは困難であった。
【０００９】
また，図８には，四角形状のフロントパッチを有する従来の使い捨ておむつが示されている。図８に示されるように，フロントパッチが四角形状となっている場合，二対設けられた止着テープが，フロントパッチの上縁辺と下縁辺に沿って平行に止めつけられやすい。すると，図８に示されるように，着用者の腰周りと両脚部周りに相当する箇所に，隙間が生じやすくなっていた。使い捨ておむつと着用者の身体に隙間が生じると，着用感が低下するばかりでなく，尿などの体液が漏出する可能性もある。
【００１０】
このため，現在では，使い捨ておむつの使用に不慣れな者であっても，自然と止着テープを身体のラインに沿ってクロス止めすることができ，着用者の腰周りや脚部周りに隙間が生じることを簡単に防止できる使い捨ておむつが求められている。
【課題を解決するための手段】
【００１１】
そこで，本発明の発明者は，上記従来発明の問題点を解決する手段について鋭意検討した結果，フロントパッチにおける側方部の幅を，中央部の幅よりも幅広とすることにより，止着テープをクロス止めするよう促すことができるという知見を得た。そして，本発明者は，上記知見に基づけば，従来技術の課題を解決できることに想到し，本発明を完成させた。
具体的に本発明は，以下の構成を有する。
【００１２】
本発明に係るテープ型使い捨ておむつは，後身頃１と，前身頃２と，後身頃１と前身頃２の間に位置する股下部３から構成されている。
後身頃１には，後身頃１の左右の各側縁から延出するようにして，二対以上の止着テープ１０が取り付けられている。
前身頃２には，止着テープ１０を止め付けるためのフロントパッチ２０が設けられている。
そして，フロントパッチ２０は，左右の側方部における短手方向の幅が，中央部における短手方向の幅よりも幅広となっている。
【００１３】
上記構成のように，フロントパッチ２０の左右側方部における短手方向の幅が，中央部における短手方向の幅より幅広に構成されていることにより，フロントパッチ２０の上縁辺と下縁辺が，フロントパッチの中央部において凹むように湾曲する。このため，使い捨ておむつを使用する者は，フロントパッチ２０の湾曲した上縁辺と下縁辺に沿って止着テープを止め付けることで，自然と止着テープのクロス止めを行うことが可能になる。従って，使い捨ておむつの使用に不慣れな者であっても，止着テープを身体のラインに沿って自然とクロス止めを行うことができ，着用者の腰周りや脚部周りに隙間が生じることを簡単に防止できる。
【００１４】
本発明において，フロントパッチ２０の左右側方部には，上縁辺２０１側と下縁辺２０３側のそれぞれに，突出部（２１，２２，２３，２４）が形成されている。このように，フロントパッチ２０の四隅に突出部（２１，２２，２３，２４）が形成されることにより，フロントパッチ２０の側方部における短手方向の幅が，中央部における短手方向の幅よりも幅広となる。
すなわち，フロントパッチ２０の上縁辺２０１側には，フロントパッチ２０の幅方向外側に向かって突出する左上突出部２１と右上突出部２２が形成されている。
また，フロントパッチ２０の下縁辺２０３側には，フロントパッチ２０の幅方向外側に向かって突出する左下突出部２３と右下突出部２４が形成されている。
ここで，フロントパッチ２０を，中央領域２０ａと，中央領域２０ａよりも左側方に位置する左側方領域２０ｂと，中央領域２０ａよりも右側方に位置する右側方領域２０ｃに区分した場合を想定する。これらの領域の区分は，フロントパッチ２０を，中央領域２０ａ，左側方領域２０ｂ，及び右側方領域２０ｃに左右方向に三等分したものであってもよいし，中央領域２０ａ，左側方領域２０ｂ，及び右側方領域２０ｃを，例えば４：３：３や６：２：２のように任意の比率で区分することとしてもよい。
この場合において，左上突出部２１の凸頂部２１１と，左下突出部２３の凸頂部２３１は，左側方領域２０ｂに位置する。
また，右上突出部２２の凸頂部２２１と，右下突出部２４の凸頂部２４１は，右側方領域２０ｃに位置する。
このように，左上突出部２１，右上突出部２２，左下突出部２３，及び右下突出部２４は，それぞれ，凸頂部（２１１，２２１，２３１，２４１）を有する。凸頂部とは，上縁辺２０１側と下縁辺２０３側のそれぞれにおいて，フロントパッチ外方に向かって最も突出した箇所を意味する。
また，フロントパッチ２０の四隅に突出部（２１，２２，２３，２４）が形成されることにより，フロントパッチ２０の中央部には，上縁辺２０１側と下縁辺２０３側に，それぞれ凹頂部（２０２，２０４）が形成される。凹頂部とは，上縁辺２０１側と下縁辺２０３側のそれぞれにおいて，フロントパッチ内方に向かって最も凹んだ箇所を意味する。
すなわち，フロントパッチの上縁辺２０１側の凹頂部２０２と，フロントパッチの下縁辺２０３側の凹頂部２０４は，中央領域２０ａに位置する。
【００１５】
本発明において，左上突出部の凸頂部２１１から左下突出部の凸頂部２３１までの距離，及び右上突出部の凸頂部２２１から右下突出部の凸頂部２４１までの距離は，上縁辺側の凹頂部２０２から下縁辺側の凹頂部２０４までの距離に対して，１０５％以上３００％以下であることが好ましい。
【００１６】
上記発明特定事項を有することにより，フロントパッチ２０の側方部における最大幅が，中央部の最小幅に対して，１０５％以上３００％以下（１．０５倍以上３倍以下）の範囲で幅広であることが規定される。このように，フロントパッチ２０の左右の側方部が，中央部に対して，１０５％以上幅広となっていれば，着用者は，上縁辺２０１と下縁辺２０３の傾斜を認識することができるため，止着テープのクロス止めを促すことができる。また，フロントパッチ２０の左右の側方部が，中央部に対して３００％を超えて幅広となっていると，フロントパッチ２０の中央部が幅狭すぎるか，フロントパッチ２０の側方部が幅広過ぎてしまい，却って止着テープを止め付けにくくなったり，使い捨ておむつの装着性を損なうこととなるが，３００％以下とすることによりこのような事態を回避できる。
【００１７】
本発明では，フロントパッチの上縁辺２０１が，左上突出部の凸頂部２１１，上縁辺側の凹頂部２０２，及び右上突出部の凸頂部２２１を繋ぐ曲線を含み，かつ，フロントパッチの下縁辺２０３が，左下突出部の凸頂部２３１，下縁辺側の凹頂部２０４，及び右下突出部の凸頂部２４１を繋ぐ曲線を含むことが好ましい。
【００１８】
上記構成を有することにより，本発明においては，フロントパッチの上縁辺２０１と下縁辺２０３が緩やかな曲線で形成される。従って，上縁辺２０１と下縁辺２０３の形状に沿ってクロス止めを促すだけでなく，フロントパッチ２０全体が着用者の身体のラインに沿った形状となるため，使い捨ておむつのフィット性が向上する。曲線としては，例えば，円弧状の曲線やＳ字状の曲線を採用することが好ましい。
【発明の効果】
【００１９】
本発明では，フロントパッチの側方部における短手方向の幅が中央部における短手方向の幅よりも幅広となっているため，止着テープをフロントパッチに止め付ける際に，クロス止めを促すことができる。従って，本発明によれば，使い捨ておむつの使用に不慣れな者であっても，自然と止着テープを身体のラインに沿ってクロス止めすることができ，着用者の腰周りや脚部周りに隙間が生じることを簡単に防止できる。
【図面の簡単な説明】
【００２０】
【図１】図１は，本発明に係るテープ型使い捨ておむつの例を示す斜視図である。
【図２】図２は，本発明に係るテープ型使い捨ておむつの例を示す展開図である。
【図３】図３は，止着テープがフロントパッチに止め付けられた状態の例を示している。
【図４】図４は，本発明におけるフロントパッチのある実施形態を示している。
【図５】図５は，本発明におけるフロントパッチの他の実施形態を示している。
【図６】図６は，本発明におけるフロントパッチの他の実施形態を示している。
【図７】図７は，本発明におけるフロントパッチの他の実施形態を示している
【図８】図８は，従来のテープ型使い捨ておむつを説明するための図である。
【発明を実施するための形態】
【００２１】
以下，図面を用いて本発明を実施するための形態について説明する。本発明は，以下に説明する形態に限定されるものではなく，以下の形態から当業者が自明な範囲で適宜修正したものも含む。
【００２２】
なお，本明細書において，「左右方向」とは，図２に示される展開された使い捨ておむつの短手方向（図２中の左右方向）を意味する。また，「上下方向」とは，図２に示される展開された使い捨ておむつの長手方向（図２中の上下方向）を意味する。「左右方向」と「上下方向」は，互いに直交する方向である。
また，本明細書において，「Ａ〜Ｂ」とは，Ａ以上Ｂ以下であることを意味する。
【００２３】
（１．使い捨ておむつの基本構成）
図１は，テープ型の使い捨ておむつの例を示す斜視図であり，前身頃２の外表面に取り付けられたフロントパッチ２０が見えるように，前身頃２を折り返した状態を描画したものである。図２は，テープ型の使い捨ておむつの例を示す展開図であり，使い捨ておむつを，装着時において着用者の肌に当接しない面（肌非当接面）側から見た状態を示している。図３は，フロントパッチ２０に止着テープ１０が取付けられた状態の例を前身頃方向から描画したものである。
図１，図２，及び図３に示されるように，本発明のテープ型使い捨ておむつ１００は，装着時に着用者の背部を覆う後身頃１，着用者の腹部を覆う前身頃２，及び着用者の股下にあてがわれる股下部３の各部から構成される。
【００２４】
テープ型の使い捨ておむつ１００の後身頃１及び前身頃２には，左右両方向にサイドフラップ５１が延設されている。また，後身頃１には，各サイドフラップ５１の側縁から突出するように二対の止着テープ１０が取り付けられている。一方，前身頃２の肌非当接面側には，止着テープ１０を止め付けるためのフロントパッチ２０が設けられている。このため，テープ型の使い捨ておむつ１００は，後身頃１を着用者の背部にあてがい，前身頃２を着用者の腹部にあてがった状態で，後身頃１に取り付けられている二対の止着テープ１０を，前身頃２に設けられたフロントパッチ２０に止め付けることにより，着用者に装着することが可能である。
【００２５】
図３は，フロントパッチ２０に，各止着テープ１０が止めつけられた状態の例をしている。図３に示されるように，フロントパッチ２０は，左右の側方部が中央部と比較して幅広となっている。このため，フロントパッチ２０の上縁辺２０１と下縁辺２０３が，フロントパッチ２０の中央に向かって傾斜している。従って，図３に示されるように，後身頃１のサイドフラップ５１から突出するように取付けられた各止着テープ１０は，フロントパッチ２０の上縁辺２０１と下縁辺２０３の傾斜に合わせるようにして止め付けられ，自然とクロス止めの状態となっている。また，止着テープ１０がクロス止めされることにより，後身頃１のサイドフラップ５１が広がり，着用者の腹部周りと両脚部まわりに隙間が生じることが好適に防止される。
【００２６】
一方，図１や図２に示されるように，後身頃１と前身頃２の間には股下部３が位置する。この股下部３を中心として，後身頃１から前身頃２にかけて，尿などの液体を吸収し保持するための吸収体３１が配設されている。この吸収体３１は，着用者の肌に当接する面（肌当接面）側から液透過性のトップシート３２によって被覆され，反対側の肌非当接面側から液不透過性のバックシート３３によって被覆されている。従って，尿などの液体は，トップシート３２を透過して，吸収体３１に吸収保持され，液透過性のバックシート３３によって外部への漏出が阻止される。
【００２７】
また，トップシート３２の両側縁にはサイドシート３４を配設することとしてもよい。サイドシート３４は，疎水性を有しながらも通気性の高い材料によって形成されていることが好ましい。また，サイドシート３４の一端をトップシート３２の表面上に固定し，その他端に弾性伸縮材（立体ギャザー伸縮材）４１を伸長状態で配設することにより，立体ギャザー３５を形成することとしてもよい。この立体ギャザー３５は，立体ギャザー伸縮材４１が収縮すると，その収縮力を利用して起立する。起立した立体ギャザー３５は，トップシート３２の側方から液体が漏洩することを防止するための防漏壁として機能する。
【００２８】
また，バックシート３３の外表面には，バックシート３３を補強し，その手触りを良くするために，カバーシート３６を貼り合わせることとしてもよい。カバーシート３６を形成する材料としては，例えば，ポリエチレン，ポリプロピレン，ポリエステルのような熱可塑性樹脂からなる不織布，又は湿式不織布を用いることができる。
【００２９】
（２．使い捨ておむつの各部構成）
以下，本発明に係るテープ型使い捨ておむつの各部の構成について説明する。
【００３０】
（２−１．止着テープ）
止着テープ１０は，使い捨ておむつ１００を着用者に対して装着させるための止着手段１１を備えた部材である。この止着テープ１０は，前身頃２に設けられたフロントパッチ２０とともにファスニング機構を構成する。止着テープ１０は，後身頃１のサイドフラップの側縁から延出するように配置されており，前身頃２に設けられたフロントパッチ２０に止め付けられるようになっている。
【００３１】
本発明において，止着テープ１０は，使い捨ておむつの後身頃１の左右の両端に，二対以上（計４本以上）取付けられる。各止着テープ１０は，前身頃２に配置されたフロントパッチ２０に届く程度の長さを有するものであればよく，その形状は図示されたものに限定されない。また，図１，図２，及び図３においては，止着テープ１０が後身頃１の左右の各側縁に二対設けられた例が示されている。ただし，止着テープ１０は，左右の各側縁に三対（計６本）設けられるものであってもよいし，四対以上（計８本以上）設けられていてもよい。
【００３２】
各止着テープ１０の先端近傍には，止着手段１１が設けられている。止着手段１１は，例えば，粘着剤や粘着テープにより固定を行うものであってもよいし，フロントパッチ２０に機械的に結合される面状ファスナーであってもよい。止着テープ１０とフロントパッチ２０と固定するファスニング機構としては，フック材（雄部材）とループ材（雌部材）の機械的結合により固定を行う面状ファスナー用いることが特に好ましい。面状ファスナーは，例えば，表面に多数の突起（鉤状，きのこ状等）が形成されたフック材と，表面にループ状の繊維が配置されたループ材との組み合わせにより構成される。例えば，止着テープ１０の止着手段１１としてフック材を採用し，フロントパッチ２０にはループ材を形成すればよい。面状ファスナーは，ループ材の表面にフック材を貼り合わせた際，フック材の多数の突起をループ材の表面に係合させる。このため，面状ファスナーは，フック材とループ材を剥離可能な状態で，かつ強固に固着させることができるものであり，繰り返しの使用が可能である点，及び固着強度が高いという点において好ましい。
【００３３】
止着テープ１０の基材を構成する材料としては，例えば，織布，不織布，その他布，紙，又はプラスチックフィルムを用いることができる。また，布を構成する素材としては，例えば，ポリエチレン系，ポリプロピレン系，ポリアミド系，ポリエステル系，ポリ塩化ビニル系，又はポリスチレン系の合成樹脂を好適に用いることができる。
【００３４】
（２−２．フロントパッチ）
フロントパッチ２０は，後身頃１に設けられた止着テープ１０を，前身頃２に止め付けて維持するための部材である。フロントパッチ２０は，前身頃２の外表面（肌非当接面側）に取り付けられており，上述した止着テープ１０とともに，ファスニング機構を構成する。例えば，止着テープ１０の止着手段１１として粘着テープが採用された場合には，フロントパッチ２０は，表面が平滑なプラスチックフィルム等で形成すればよい。一方，止着テープ１０の止着手段１１として，面状ファスナーのフック材が採用された場合には，フロントパッチ２０としては面状ファスナーのループ材を採用すればよい。
【００３５】
（２−２−１．フロントパッチのある実施形態）
図４は，本発明において採用されるフロントパッチのある実施形態を示した図である。フロントパッチの形状は，図４に示された形状に限定されるものではないが，本発明に係るフロントパッチの形状について，まず好ましい実施形態を取り上げて説明する。なお，図４においては，フロントパッチの形状を説明するために，一部の要素に“黒丸”を付けて表しているが，この“黒丸”は実在するものではない。また，図４（ｂ）においては，“破線”が表示さているが，この“破線”は実在しない仮想線である。
【００３６】
図４（ａ）に示されるように，フロントパッチ２０は，中央領域２０ａと，中央領域２０ａよりも左側方に位置する左側方領域２０ｂと，中央領域２０ａよりも右側方に位置する右側方領域２０ｃに区分される。図４（ａ）に示す例においては，フロントパッチ２０の左側端から右側端までの長さを三等分して中央領域２０ａ，左側方領域２０ｂ，及び右側方領域２０ｃに区分している。ただし，これらの区分は，フロントパッチ２０の各部構成を説明するために概念的にフロントパッチ２０の領域を区分したものであり，三等分に限定されるものではない。例えば，フロントパッチ２０の中央領域２０ａ，左側方領域２０ｂ，及び右側方領域２０ｃを，２：４：４や，４：３：３，又は６：２：２のように任意の比率で区分することとしてもよい。また，中央領域２０ａの幅の例は，フロントパッチ２０の左側端から右側端までの長さに対して，２０％〜７０％，３０％〜６０％，又は４０％〜５０％である。
【００３７】
図４（ａ）に示されるように，フロントパッチ２０は，左右方向を長手方向とし，上下方向を短手とした形状で構成されている。フロントパッチ２０は，湾曲又は屈折した上縁辺２０１と，上縁辺２０１に対向し湾曲又は屈折した下縁辺２０３と，上縁辺２０１の左端部と下縁辺２０３の左端部を繋ぐ左側縁辺２０５と，上縁辺２０１の右端部と下縁辺２０３の右端部を繋ぐ右側縁辺２０６を基本構成としている。
【００３８】
図４（ａ）に示されるように，フロントパッチ２０の上縁辺２０１側には，左側方部に左上突出部２１が形成され，右側方部に右上突出部２２が形成されている。このため，フロントパッチ２０の上縁辺２０１側の中央部には，凹頂部２０２が形成されている。言い換えると，左上突出部２１及び右上突出部２２とは，上縁辺２０１側の凹頂部２０２から左右方向（フロントパッチの長手方向）に直線を引いた場合において，当該直線よりも上方向に突出した部分を指す。
【００３９】
同様に，フロントパッチ２０の下縁辺２０３側には，左側方部に左下突出部２３が形成され，右側方部に右下突出部２４が形成されている。このため，フロントパッチ２０の下縁辺２０３側の中央部には，凹頂部２０４が形成されている。言い換えると，左下突出部２３及び右下突出部２４とは，下縁辺２０３側の凹頂部２０４から左右方向（フロントパッチの長手方向）に直線を引いた場合において，当該直線よりも下方向に突出した部分を指す。ここで，図４（ａ）に示されるように，フロントパッチ２０の下縁辺２０３は，左右方向を軸として上縁辺２０１を反転させた形状であることが好ましいが，必ずしも図に示す形状に限定されるものではない。
【００４０】
図４（ａ）に示されるように，フロントパッチ２０を中央領域２０ａ，左側方領域２０ｂ，及び右側方領域２０ｃに区分した場合において，上縁辺２０１側の凹頂部２０２と下縁辺２０３側の凹頂部２０４は，中央領域２０ａに位置する。上縁辺２０１側の凹頂部２０２が点として形成される場合，凹頂部２０２は，フロントパッチ２０の上縁辺２０１の中心に位置していることが好ましい。ただし，上縁辺２０１側の凹頂部２０２は，少なくとも中央領域２０ａとして区分した領域に属していればよく，上縁辺２０１の中心から左右方向に所定距離ずれたものであってもよい。また，左上突出部２１の凸頂部２１１と左下突出部２３の凸頂部２３１は，左側方領域２０ｂに位置する。さらに，右上突出部２２の凸頂部２２１と右下突出部２４の凸頂部２４１は，左側方領域２０ｃに位置している。
【００４１】
図４（ａ）に示す例においては，左上突出部２１の凸頂部２１１と，上縁辺２０１側の凹頂部２０２が，Ｓ字状の曲線により繋がれている。また，右上突出部２２の凸頂部２２１と，上縁辺２０１側の凹頂部２０２が，Ｓ字状の曲線により繋がれている。その結果，フロントパッチ２０の上縁辺２０１は，左上突出部２１の凸頂部２１１，上縁辺２０１側の凹頂部２０２，及び右上突出部２２の凸頂部２２１を繋ぐ曲線を含む構成となっている。同様に，左下突出部２３の凸頂部２３１と，下縁辺２０３側の凹頂部２０４が，Ｓ字状の曲線により繋がれている。また，右下突出部２４の凸頂部２４１と，下縁辺２０３側の凹頂部２０４が，Ｓ字状の曲線により繋がれている。その結果，フロントパッチ２０の下縁辺２０３は，左下突出部２３の凸頂部２３１，下縁辺２０３側の凹頂部２０４，及び右下突出部２４の凸頂部２４１を繋ぐ曲線を含む構成となっている。各頂点を繋ぐ曲線は，上述のように，緩やかなＳ字状の曲線であってもよいし，例えば，緩やかな円弧状の曲線により各頂点を繋ぐこととしてもよい。このように，上縁辺２０１及び下縁辺２０３を曲線で構成とすることにより，仮に着用者の腹部がフロントパッチ２０に接触した場合であっても，着用者に不要な圧迫感を与える事態を防止できる。
【００４２】
また，図４に示されるように，フロントパッチ２０の上縁辺２０１と左側縁辺２０５の交点に，左上突出部２１の凸頂部２１１が位置している。また，上縁辺２０１と右側縁辺２０６の交点に，右上突出部２２の凸頂部２２１が位置している。また，下縁辺２０３と左側縁辺２０５の交点に，左下突出部２３の凸頂部２３１が位置している。さらに，下縁辺２０３と右側縁辺２０６の交点に，右下突出部２４の凸頂部２４１が位置している。このように，フロントパッチ２０の四隅に各突出部の凸頂部が位置することにより，フロントパッチ２０の製造が容易になるためが好ましい。ただし，後述するように，本発明はこの形態に限定されるものではない。つまり，左上突出部２１の凸頂部２１１と左下突出部２３の凸頂部２３１は，少なくとも左側方領域２０ｂに位置していればよく，上縁辺２０１と左側縁辺２０５の交点から右方向へずれていてもよい。同様に，右上突出部２２の凸頂部２２１と右下突出部２４の凸頂部２４１は，すくなくとも右側方領域２０ｃに位置していればよく，上縁辺２０１と右側縁辺２０６の交点から左方向へずれていてもよい。
【００４３】
次に，図４（ｂ）を参照して，フロントパッチ２０の形状の寸法の概略を説明する。ここでは，本発明を，大人用の使い捨ておむつに適用した場合の例について説明する。ただし，フロントパッチ２０の形状の寸法は以下の説明に限定されるものではなく，適宜変更することにより，例えば，幼児用の使い捨ておむつにも適用することができる。
【００４４】
図４（ｂ）に示されるように，フロントパッチ２０の左右方向の長さ（線分Ａ）は，２００ｍｍ〜６５０ｍｍであることが好ましく，２８０ｍｍ〜５００ｍｍであることが特に好ましい。また，フロントパッチ２０の上下方向の長さ（線分Ｂ）は，１００ｍｍ〜２００ｍｍであることが好ましく，１４０ｍｍ〜１８０ｍｍであることが特に好ましい。また，フロントパッチ２０の上下方向の長さ（線分Ｂ）は，その左右方向の長さ（線分Ａ）に対して，２０％〜７０％の長さであることが好ましく，２５％〜６５％の長さであることが特に好ましい。
【００４５】
ここで，フロントパッチ２０の上下方向の長さ（線分Ｂ）とは，左上突出部２１の凸頂部２１１から左下突出部２３の凸頂部２３１までの距離，又は右上突出部２２の凸頂部２２１から右下突出部２４の凸頂部２４１までの距離を意味する。図４（ｂ）に示す例において，左上突出部２１の凸頂部２１１から左下突出部２３の凸頂部２３１までの距離と，右上突出部２２の凸頂部２２１から右下突出部２４の凸頂部２４１までの距離は一致しているが，これらの距離は，必ずしも同一である必要はない。例えば，左上突出部２１の凸頂部２１１から左下突出部２３の凸頂部２３１までの距離が，右上突出部２２の凸頂部２２１から右下突出部２４の凸頂部２４１までの距離より長いものであってもよい。
【００４６】
また，図４（ｂ）に示された例においては，左上突出部２１の凸頂部２１１から左右方向に直線を延ばすと，その直線上には，右上突出部２２の凸頂部２２１が位置している。ただし，左上突出部２１の凸頂部２１１と右上突出部２２の凸頂部２２１は，互い左右方向直線上に位置せず，高低差を有するものであってもよい。同様に，図４（ｂ）には，左下突出部２３の凸頂部２３１から左右方向に延びる直線上に，右下突出部２４の凸頂部２４１が位置する例が示されているが，これに限定されるものではない。
【００４７】
また，図４（ｂ）に示す例においては，左上突出部２１の凸頂部２１１から左下突出部２３の凸頂部２３１までの距離が，左側縁辺２０５の長さと一致する。同様に，右上突出部２２の凸頂部２２１から右下突出部２４の凸頂部２４１までの距離が，右側縁辺２０６の長さと一致する。これは，上述したように，フロントパッチ２０の四隅に各突出部（２１，２２，２３，２４）の凸頂部（２１１，２２１，２３１，２４１）が位置するからである。なお，左側縁辺２０５と右側縁辺２０６の長さは，一致するものであることが好ましいが，異なるものであってもよい。
【００４８】
図４（ｂ）に示されるように，上縁辺２０１側の凹頂部２０２から下縁辺２０３側の凹頂部２０４までの距離（線分Ｃ）は，２０ｍｍ〜１９５ｍｍや，４０ｍｍ〜１７５ｍｍ，６０ｍｍ〜１５５ｍｍであることが好ましく，特に，１００ｍｍ〜１４０ｍｍであることが好ましい。ここで，上記フロントパッチ２０の上下方向の長さ（線分Ｂ）は，上縁辺２０１側の凹頂部２０２から下縁辺２０３側の凹頂部２０４までの距離（線分Ｃ）に対して，１０５％以上３００％以下の距離であることが好ましく，例えば，１１０％〜２８０％や，１２０％〜２００％，１３０％〜１５０％の距離であってもよい。
【００４９】
また，図４（ｂ）に示されるように，上縁辺２０１側の凹頂部２０２から左右方向に延びる直線と，左上突出部２１の凸頂部２１１（又は右上突出部２２の凸頂部２２１）から左右方向に延びる直線の間の距離（線分Ｄ１）は，５ｍｍ〜８０ｍｍや，１０ｍｍ〜５０ｍｍ，１５ｍｍ〜４０ｍｍであることが好ましく，２０ｍｍ〜３０ｍｍであることが特に好ましい。また，同様に，下縁辺２０３側の凹頂部２０４から左右方向に延びる直線と，左下突出部２３の凸頂部２３１（又は右下突出部２４の凸頂部２４１）から左右方向に延びる直線の間の距離（線分Ｄ２）は，５ｍｍ〜８０ｍｍや，１０ｍｍ〜５０ｍｍ，１５ｍｍ〜４０ｍｍであることが好ましく，２０ｍｍ〜３０ｍｍであることが特に好ましい。これらの線分Ｄ１と線分Ｄ２は，同一の距離であることが好ましいが，互いに異なるものであってもよい。ここで，線分Ｄ１及び線分Ｄ２は，フロントパッチ２０の上下方向の長さ（線分Ｂ）に対して，１％〜５０％や，１０％〜４０％の距離であることが好ましく，２０％〜３０％の距離であることが特に好ましい。
【００５０】
図４（ｂ）に示されるように，上縁辺２０１側の凹頂部２０２から上下方向に延びる直線と，左上突出部２１の凸頂部２１１から上下方向に延びる直線の間の距離（線分Ｅ１）は，１００ｍｍ〜３２５ｍｍ，又は１２０ｍｍ〜２８０ｍｍであることが好ましく，１４０ｍｍ〜２５０ｍｍであることが特に好ましい。この線分Ｅ１は，下縁辺２０３側の凹頂部２０４から上下方向に延びる直線と，左下突出部２３の凸頂部２３１から上下方向に延びる直線の間の距離にも相当する。
また，図４（ｂ）に示されるように，上縁辺２０１側の凹頂部２０２から上下方向に延びる直線と，右上突出部２２の凸頂部２２１から上下方向に延びる直線の間の距離（線分Ｅ２）は，１００ｍｍ〜３２５ｍｍ，又は１２０ｍｍ〜２８０ｍｍであることが好ましく，１４０ｍｍ〜２５０ｍｍであることが特に好ましい。この線分Ｅ２は，下縁辺２０３側の凹頂部２０４から上下方向に延びる直線と，右下突出部２４の凸頂部２４１から上下方向に延びる直線の間の距離にも相当する。
また，線分Ｅ１と線分Ｅ２は，同一の距離を示すものであることが好ましいが，両者は必ずしも同一の距離でなくてもよい。
【００５１】
（２−２−２．フロントパッチの他の実施形態）
以下，図５から図７を参照して，フロントパッチ２０の他の実施形態について説明する。
以下の実施形態の説明において，上述した実施形態と重複する箇所については説明を省略する。
【００５２】
図５（ａ）には，各突出部（２１，２２，２３，２４）の各凸頂部（２１１，２２１，２３１，２４１）が，フロントパッチ２０の四隅に位置し，かつ，上縁辺２０１及び下縁辺２０３が円弧状の曲線により形成された例が示されている。具体的に説明すると，上縁辺２０１を形成する円弧状の曲線は，左上突出部２１の凸頂部２１１，上縁辺２０１側の凹頂部２０２，及び右上突出部２２の凸頂部２２１を繋ぐ緩やかな円弧状の曲線になっている。同様に，下縁辺２０３を形成する円弧状の曲線は，左下突出部２３の凸頂部２３１，下縁辺２０３側の凹頂部２０４，及び右下突出部２４の凸頂部２４１を繋ぐ緩やかな円弧状の曲線になっている。
【００５３】
図５（ｂ）には，各突出部（２１，２２，２３，２４）の各凸頂部（２１１，２２１，２３１，２４１）が，フロントパッチ２０の四隅に位置し，かつ，上縁辺２０１及び下縁辺２０３が凹頂部（２０２，２０４）において屈折する折線により形成された例が示されている。つまり，上縁辺２０１は２本の直線から形成されており，具体的には，左上突出部２１の凸頂部２１１と上縁辺２０１側の凹頂部２０２を繋ぐ直線と，右上突出部２２の凸頂部２２１と上縁辺２０１側の凹頂部２０２を繋ぐ直線とから形成されている。同様に，下縁辺２０３も２本の直線から形成されており，具体的には，左下突出部２３の凸頂部２３１と下縁辺２０３側の凹頂部２０４を繋ぐ直線と，右下突出部２４の凸頂部２４１と下縁辺２０３側の凹頂部２０４を繋ぐ直線とから形成されている。
【００５４】
図５（ｃ）には，各突出部（２１，２２，２３，２４）の各凸頂部（２１１，２２１，２３１，２４１）が，フロントパッチ２０の四隅と一致しない例が示されている。つまり，図５（ｃ）に示されるように，フロントパッチ２０の四つ角を丸くする加工（例えばＲ加工）を施すこととしてもよい。このように，フロントパッチの四つ角が丸く形成されることにより，フロントパッチから角が取られるため，着用者の腹部や両脚部の付け根に不要な圧迫感を与えることがなくなり，着用感が向上する。
【００５５】
図５（ｄ）には，フロントパッチ２０の上縁辺２０１，下縁辺２０３，左側縁辺２０５，及び右側縁辺２０６が曲線により形成された例が示されている。具体的に説明すると，上縁辺２０１は，左上突出部２１の凸頂部２１１と上縁辺２０１側の凹頂部２０２を繋ぐＳ字状の曲線と，右上突出部２２の凸頂部２２１と上縁辺２０１側の凹頂部２０２を繋ぐＳ字状の曲線により，形成されている。同様に，下縁辺２０３は，左下突出部２３の凸頂部２３１と下縁辺２０３側の凹頂部２０４を繋ぐＳ字状の曲線と，右下突出部２４の凸頂部２４１と下縁辺２０３側の凹頂部２０４を繋ぐＳ字状の曲線により形成されている。一方で，左側縁辺２０５は，左上突出部２１の凸頂部２１１と左下突出部２３の凸頂部２３１を繋ぐ円弧状の曲線により形成されている。また，右側縁辺２０６は，右上突出部２２の凸頂部２２１と右下突出部２４の凸頂部２４１を繋ぐ円弧状の曲線により形成されている。図５（ｄ）に示されるように，左側縁辺２０５と右側縁辺２０６は，直線形状に限られず，曲線により形成されるものであってもよい。上縁辺２０１，下縁辺２０３，左側縁辺２０５，及び右側縁辺２０６を曲線で形成することにより，フロントパッチ２０から角がなくなるため，仮にフロントパッチ２０が着用者の肌に触れた場合であっても，フロントパッチ２０の角によって着用者の肌を傷つけることを防止できる。
【００５６】
図６（ａ）には，フロントパッチ２０の上縁辺２０１側の凹頂部２０２と，下縁辺２０３側の凹頂部２０４が，直線状に形成された例が示されている。そして，図６（ａ）に示された例では，上縁辺２０１が，直線状に形成された凹頂部２０２の左右両端部において屈折するようになっている。つまり，上縁辺２０１は３つの直線から形成されており，具体的には，左上突出部２１の凸頂部２１１と凹頂部２０２の左端を繋ぐ直線，凹頂部２０２が形成する直線，及び，右上突出部２２の凸頂部２２１と凹頂部２０２の右端を繋ぐ直線から形成されている。また，同様に，下縁辺２０３も，直線状に形成された凹頂部２０４の左右両端部において屈折するようになっている。つまり，下縁辺２０３も３つの直線から形成されており，具体的には，左下突出部２３の凸頂部２３１と凹頂部２０４の左端を繋ぐ直線，凹頂部２０４が形成する直線，及び，右下突出部２４の凸頂部２４１と凹頂部２０４の右端を繋ぐ直線から形成されている。
【００５７】
図６（ｂ）には，フロントパッチ２０が，中央領域２０ａと，左側方領域２０ｂと，右側方領域２０ｃの３つに分割されて形成された例が示されている。つまり，図６（ｂ）に示された実施形態では，中央領域２０ａが第１片となり，左側方領域２０ｂが第２片となり，右側方領域２０ｃが第３片となる。第１片と第２片の間の距離，及び第２片と第３片の間の距離は，例えば１ｍｍ〜１０ｍｍ程度とすることが可能であり，好ましくは，３ｍｍ〜７ｍｍである。
【００５８】
以下，図７を参照して，本発明のさらに別の形態について説明する。
図７（ａ）及び（ｂ）には，本発明おける好ましい形態のフロントパッチ２０が示されている。また，図７（ｃ）及び（ｄ）には，フロントパッチ２０の連続体であるフロントパッチ材２００が示されている。フロントパッチ材２００は，フロントパッチ２０の製造ラインにおいて個別に切断されてフロントパッチ２０となる。図７（ａ）及び（ｂ）に示されたフロントパッチ２０は，図７（ｃ）及び（ｄ）に示されるように，フロントパッチ材２００を個別に切断することにより，隙間なく形成することが可能である。図７（ａ）及び（ｂ）に示されたフロントパッチ２０は，フロントパッチ材２００を長手方向（列方向）と短手方向（行方向）に切断した際の余剰部分を最小限とすることができるため，高価な材料の無駄をなくし，製造コストを節約することができるため好ましい。
以下，図７（ａ）及び（ｂ）に示されたフロントパッチ２０の構造について，具体的に説明する。
【００５９】
図７（ａ）に示されたフロントパッチ２０は，左上突出部２１，右上突出部２２，左下突出部２３，及び右下突出部２４を有する。左上突出部２１と右上突出部２２は，上縁辺２０１側の凹頂部２０２から左右方向に延びる直線よりも外側に突出した部分である（図７では薄墨を施して示した）。左上突出部２１及び右上突出部２２は，左下突出部２３及び右下突出部２４と同一の形状であり，かつ同一の面積を有している。以下では，これら突出部（２１，２２，２３，２４）の形状について，左上突出部２１を取り上げて説明する。
【００６０】
図７（ａ）に示されるように，上縁辺２０１側の凹頂部２０２は，フロントパッチ２０の上縁辺２０１の中心に位置している。また，左上突出部２１の凸頂部２１１と上縁辺２０１側の凹頂部２０２を対角点とする四角形を想定する（図７（ａ）では破線で示されている）。そして，この四角形の面積を二等分するようにして，左上突出部２１の凸頂部２１１と上縁辺２０１側の凹頂部２０２を繋ぐ対角線（直線）をひく。この対角線により，左上突出部２１の形状と面積が規定される。これらの工程により規定された左上突出部２１と同一形状，かつ同一面積となるように，他の突出部（２２，２３，２４）を規定することにより，図７（ａ）に示されたフロントパッチ２０を形成することができる。図７（ａ）に示されたフロントパッチ２０は，図７（ｃ）に示されるように，フロントパッチ材２００を個別に切断する際の余剰部分を最小限に抑えて形成することができる。
【００６１】
また，図７（ｂ）に示されるように，左上突出部２１の凸頂部２１１と上縁辺２０１側の凹頂部２０２を対角点とする四角形の面積を二等分するための対角線は，曲線であってもよい。この四角形の面積を二等分する対角線を曲線とする場合，緩やかなＳ字状の曲線を採用することが好ましい。
【００６２】
図７（ａ）及び図７（ｂ）に示される形状のようにフロントパッチ２０を設計することで，フロントパッチ材２００の無駄を最小限とすることができる。例えば，図７（ｃ）や（ｄ）に示されるように，一枚のフロントパッチ材２００を３列に分けて切断することができる。また，フロントパッチ材２００を切断する列数は，２列であってもよいし。４列以上であってもよい。フロントパッチ材２００を切断する列数が多いほど，フロントパッチ２０を製造する際の余剰部分を少なくすることができる。
【００６３】
（２−３．吸収体）
吸収体３１は，着用者の尿を吸収し保持するための部材である。吸収体３１は，着用者の尿や体液を吸収し保持するために，吸収性材料によって構成される。吸収性材料としては，例えば，フラッフパルプ，高吸水性ポリマー（Ｓｕｐｅｒ  Ａｂｓｏｒｂｅｎｔ  Ｐｏｌｙｍｅｒ；「ＳＡＰ」），親水性シート等を採用することができる。フラッフパルプの例は，木材パルプや非木材パルプを綿状に解繊したものである。高吸水性ポリマーの例は，ポリアクリル酸ナトリウムである。親水性シートとしては，例えば，ティシュ，吸収紙，親水化処理を行った不織布を用いることができる。
【００６４】
吸収体３１は，トップシート３２とバックシート３３の間に挟み込まれ，両シートの周縁部が封着されることによって，トップシート３２とバックシート３３との間に封入される。吸収体３１の形状は，図示された形状に制限されるものではなく，例えば，矩形状，ひょうたん型，Ｔ字型とすることができる。図１や図２に示されたテープ型おむつ１００では，吸収体３１として砂時計型の吸収体を採用している。
【００６５】
（２−４．トップシート）
トップシート３２は，吸収体３１の肌当接面側を被覆するように配置される液透過性のシートである。トップシート３２は，尿などの液体を，その下面側に配置された吸収体３１に浸透させる。
【００６６】
トップシート３２を構成する液透過性材料として，例えば，織布，不織布，多孔性フィルムを採用することができる。特に，ポリプロピレン，ポリエチレン，ポリエステル，ナイロンのような熱可塑性樹脂からなる不織布に親水化処理を施したものを用いることが好ましい。
【００６７】
トップシート３２は，単一のシート材によって構成されていてもよいが，複数のシート材によって構成されていてもよい。例えば，吸収体の表面部に配置されるシートと，サイ
ドフラップの部分に配置されるシートを組み合わせた構成であってもよい。
【００６８】
（２−５．バックシート）
バックシート３３は，吸収体３１を肌非当接面側から被覆するように配置される液不透過性のシートである。バックシート３３は，吸収体３１により保持されている液体が，おむつ外部に漏洩してしまうことを防止する。
【００６９】
バックシート３３を構成する液不透過性材料としては，例えば，ポリエチレン等の樹脂からなる液不透過性フィルム等を採用することができる。特に，微多孔性ポリエチレンフィルムを用いることが好ましい。この微多孔性ポリエチレンフィルムは，０．１μｍ程度の微細な孔が多数形成されており，不透過性ではあるが透湿性を有するためおむつ内部の蒸れを防止することができるという点において好ましい。
【００７０】
また，バックシート３３の外表面には，バックシート３３を補強し，その手触りを良くするために，カバーシート３６を貼り合わせることとしてもよい。カバーシート３６を形成する材料としては，例えば，ポリエチレン，ポリプロピレン，ポリエステルのような熱可塑性樹脂からなる不織布，又は湿式不織布を用いることができる。
【００７１】
（２−６．立体ギャザー）
立体ギャザー３５は，着用者の配設した尿などがおむつ外部へ漏出することを防止するための防漏壁として機能する部材である。立体ギャザー３５は，トップシート３２やバックシート３３とは異なるサイドシート３４により形成されることとしてもよい。例えば，サイドシート３４の一端側をトップシート３２の表面に固着し，他端側に立体ギャザー伸縮材４１を伸長状態で配設する。これにより，立体ギャザー３５は，立体ギャザー伸縮材４１の収縮力により起立し，おむつの脚周り開口部等から尿などの液体が漏出する横漏れを有効に防止することができる。
【００７２】
立体ギャザー３５は，股下部３からの漏れを防止するため，少なくとも股下部３に形成されていればよいが，後身頃１や前身頃２にかけて形成されていてもよい。また，立体ギャザー３５は，股下部の左右側方に，少なくとも１対以上形成されていればよく，例えば，股下部の左右側方に２対以上形成することとしてもよい。
【００７３】
（２−７．各種ギャザー）
本発明に係るテープ型の使い捨ておむつにおいては，上記立体ギャザー３５の他に，脚部周りギャザー３７や，腰周りギャザー３８を形成することが好ましい。
【００７４】
脚部周りギャザー３７は，使い捨ておむつの脚部周りの開口部から，尿などの液体が漏出する事態を防止するための部材である。脚部周りの開口部に沿って，脚部周り伸縮材４２が伸長状態で配置され，この脚部周り伸縮材４２の収縮力を利用して，脚部周りギャザー３７が形成される。これにより，脚周りに隙間が形成され難くなり，脚周り開口部からの尿漏れを効果的に防止することができる。また，脚部周りギャザー３７を形成すると，おむつを交換する際に吸収体３１の両側で脚部周り伸縮材４２が収縮するため，股下部３が全体として椀状に変形する。このため，尿や体液が椀状に形成された股下部３に溜まり，尿こぼすことなく容易におむつの交換を行うこともできるようになる。
【００７５】
例えば，図２に示す実施形態は，使い捨ておむつの脚部周りに，おむつの長手方向（上下方向）に沿って直線的な３本の脚部周り伸縮材４２を配置した例である。この脚部周り伸縮材４２は，例えば，糸ゴムや平ゴムによって構成されている。但し，脚部周り伸縮材４２は，必ずしも直線的に配置する必要はなく，例えば，おむつの脚周り開口部のカーブに沿って曲線的に配置してもよい。
【００７６】
また，腰周りギャザー３８は，使い捨ておむつの腰周りの開口部からの尿漏れを防止するとともに，使い捨ておむつのフィット性を向上させ，おむつのずり下がりが防止するための部材である。腰周りの開口部にそって，腰周り伸縮材４３が伸長状態で配置され，この腰周り伸縮材４３の収縮力を利用して，腰周りギャザー３８が形成される。これにより，使い捨ておむつの腰周り開口部が，着用者の腹部と背部に密着するため，尿漏するとともに，フィット感を向上させることができる。
【００７７】
例えば，図２に示す実施形態は，使い捨ておむつの腰周りに，おむつの短手方向（左右方向）に沿って，直線的な４本の腰周り伸縮材４３を配置した例である。この腰周り伸縮材４３は，脚部周り伸縮材４２と同様に，例えば，糸ゴムや平ゴムによって構成されている。
【００７８】
上記した，脚部周り伸縮材４２や腰周り伸縮材４３としては，例えば，天然ゴムや合成ゴム（ウレタンゴム等）の弾性材からなるゴム，伸縮性ネット，伸縮性フィルム，伸縮性フォーム（ウレタンフォーム等）を採用することができる。これらの，伸縮材は，おむつの他の構成部材に対して，接着剤その他の手段により固定される。固定方法としては，例えば，ホットメルト接着剤，その他の流動性の高い接着剤を用いた接着であってもよいし，ヒートシールのような熱や超音波等による溶着であってもよい。
【産業上の利用可能性】
【００７９】
本発明，乳幼児用，或いは介護を必要とする高齢者や障害者等の成人用の使い捨ておむに適用することができる。従って，本発明は，育児産業や介護産業等において好適に利用し得る。
【符号の説明】
【００８０】
１        後身頃
１０      止着テープ
１１      止着手段
２        前身頃
２０      フロントパッチ
２０ａ    中央領域
２０ｂ    左側方領域
２０ｃ    右側方領域
２０１    上縁辺
２０２    上縁辺側の凹頂部
２０３    下縁辺
２０４    下縁辺側の凹頂部
２０５    左側縁辺
２０６    右側縁辺
２１    左上突出部
２１１  左上突出部の凸頂部
２２    右上突出部
２２１  右上突出部の凸頂部
２３    左下突出部
２３１  左下突出部の凸頂部
２４    右下突出部
２４１  右下突出部の凸頂部
３        股下部
３１      吸収体
３２      トップシート
３３      バックシート
３４      サイドシート
３５      立体ギャザー
３６      カバーシート
３７      脚部周りギャザー
３８      腰周りギャザー
４１      立体ギャザー伸縮材
４２      脚部周り伸縮材
４３      腰周り伸縮材
５１      サイドフラップ
１００    使い捨ておむつ
２００    フロントパッチ材
【図１】
0005751072.tif 000002
【図２】
0005751072.tif 000003
【図３】
0005751072.tif 000004
【図４】
0005751072.tif 000005
【図５】
0005751072.tif 000006
【図６】
0005751072.tif 000007
【図７】
0005751072.tif 000008
【図８】
0005751072.tif 000009